(57)【要約】【課題】定着装置に温度履歴による温度分布が残った状態で印字を行う場合に、そのような温度分布によりオフセットやしわを生じたり、温度分布が低減するまで待機する必要のゆえ効率的な印字ができないといった課題があった。【解決手段】定着装置を、励磁手段と、発熱部材と、加圧手段と、温度検知手段とを備え、前記発熱部材は、常温では磁性を有するも所定の温度以上では磁性が無くなる整磁材料からなる透磁性導電層を有し、また前記温度検知手段は少なくとも２つ以上の温度検知部材が配設されており、それらの前記温度検知部材から温度制御に用いるものを各温度制御部材からの出力情報に基づき選択するものとする。これにより温度分布を軽減し、印字を開始するまでに要する時間を短縮することができる。【選択図】図７
2011033642.tif 000002
【特許請求の範囲】
【請求項１】
面上に色材で画像が形成された記録材を加熱加圧してその色材をその記録材上に定着する定着装置であって、
当該装置における定着動作をその制御条件に基づいて制御する制御手段と、
前記制御手段に操作されて磁界を形成する励磁手段と、
少なくとも一部が、前記励磁手段によって形成された磁界内にあって、その磁界の磁力線を内部に浸透させて発熱する発熱手段と、
前記記録材と前記発熱手段とを互いに接触させてそれらの間に圧力を与える加圧手段と、
温度を検知する温度検知部材を具備しておりその温度検知部材で前記発熱手段の幅方向所定の位置の温度を検知して前記制御手段へ出力する温度検知手段と、
を含み備え、
前記発熱手段は、常温では磁性を有するも所定の温度以上では磁性が無くなる整磁材料からなる透磁性導電層を有し、
また、前記温度検知手段は前記幅方向の位置がそれぞれ異なる少なくとも２つ以上の前記温度検知部材を有し、
また、前記制御手段は、前記温度検知手段から温度制御に用いる温度検知部材をそれぞれからの出力情報に基づき選択し、そして、前記励磁手段を操作して前記発熱手段での発熱を制御する温度制御をその選択した温度検知部材からの出力情報に基づき行うことを特徴とする定着装置。
【請求項２】
前記温度検知手段は、その温度検知部材の少なくとも１つはいずれの幅の記録材もが接触する前記発熱手段の箇所の温度を検知し、他の少なくとも１つの温度検知部材は最大記録材の幅端部と接触する前記発熱手段の箇所の温度を検知することを特徴とする請求項１に記載の定着装置。
【請求項３】
前記温度検知手段は、その温度検知部材の少なくとも１つはいずれの幅の記録材もが接触する前記発熱手段の箇所の温度を検知し、
また、前記制御手段は、前記温度検知手段から前記温度制御に用いる温度検知部材を選択するとき所定の部材間の出力差が所定値以下ならば、いずれの幅の記録材もが接触する前記発熱手段の箇所の温度を検知する前記温度検知部材をその温度制御用に選択することを特徴とする請求項１記載の定着装置。
【請求項４】
前記制御手段は、前記温度検知手段から前記温度制御に用いる温度検知部材を選択するとき所定の部材間の出力差が所定値以上ならば、それら所定の部材のうち検知された温度がより低い温度検知部材をその温度制御用に選択することを特徴とする請求項１記載の定着装置。
【請求項５】
前記制御手段は、前記温度検知手段から前記温度制御に用いる温度検知部材をそれぞれからの出力情報と定着される前記記録材の幅が特定できる情報とに基づき選択することを特徴とする請求項１記載の定着装置。
【請求項６】
前記制御手段は、前記温度検知手段から前記温度制御に用いる温度検知部材を、それぞれからの出力情報と定着される前記記録材の幅が特定できる情報とに基づき、前記発熱手段のその記録材幅端部付近の温度を推定して、選択し、かつ所定の設定温度をその温度制御のための目標温度として設定して、前記温度制御を行うことを特徴とする請求項１記載の定着装置。
【請求項７】
前記制御手段は、前記温度検知手段から前記温度制御に用いる温度検知部材を、それぞれからの出力情報と定着される前記記録材の幅が特定できる情報とに基づき、前記発熱手段のその記録材幅端部付近の温度を推定して、選択し、かつ所定の設定温度をその温度制御のための目標温度として設定して、前記温度制御を行い、ここで、その所定の設定温度は印字準備中と印字中とでは異なる温度とすることを特徴とする請求項１記載の定着装置。
【請求項８】
前記制御手段は、前記温度検知手段から前記温度制御に用いる温度検知部材を選択するとき所定の部材間の出力差が所定値以上ならば、それら所定の部材のうち検知された温度がより低い温度検知部材をその温度制御用に選択し、かつ定着温度より低い第２の設定温度をその温度制御のための目標温度として設定して、前記温度制御を行うことを特徴とする請求項１記載の定着装置。
【請求項９】
前記制御手段は、前記温度検知手段から前記温度制御に用いる温度検知部材を選択するとき所定の部材間の出力差が所定値以上ならば、それら所定の部材のうち検知された温度がより低い温度検知部材をその温度制御用に選択し、かつ、温度制御のための目標温度としてまず所定の設定温度より高い第３の設定温度を設定していったん温度制御した後に所定の設定温度を設定して、前記温度制御を行うことを特徴とする請求項１記載の定着装置。
【請求項１０】
前記制御手段は、前記温度検知手段から前記温度制御に用いる温度検知部材を選択するとき所定の部材間の出力差が所定値以上ならば、それら所定の部材のうち検知された温度がより低い温度検知部材をその温度制御用に選択し、かつ、温度制御のための目標温度としてまず所定の設定温度より高い第３の設定温度を設定していったん温度制御し、そして記録材を当該装置に所定数通した後に所定の設定温度を設定して、前記温度制御を行うことを特徴とする、請求項1記載の定着装置。
【請求項１１】
前記制御手段は、前記温度検知手段から前記温度制御に用いる温度検知部材を選択するとき所定の部材間の出力差が所定値以上ならば、それら所定の部材のうち検知された温度がより低い温度検知部材をその温度制御用に選択し、かつ、温度制御のための目標温度としてまず所定の設定温度より高い第３の設定温度を設定していったん温度制御し、そして前記発熱を抑制して所定時間経過後に所定の設定温度を設定して、前記温度制御を行うことを特徴とする、請求項1記載の定着装置。
【請求項１２】
前記制御手段は、前記温度検知手段から前記温度制御に用いる温度検知部材を選択するとき所定の部材間の出力差が所定値以上ならば、それら所定の部材のうち検知された温度がより低い温度検知部材をその温度制御用に選択し、かつ、温度制御のための目標温度としてまず所定の設定温度より高い第３の設定温度を設定していったん温度制御し、そして前記発熱を抑制して温度が所定の設定温度まで低下した後に所定の設定温度を設定して、前記温度制御を行うことを特徴とする、請求項1記載の定着装置。
【請求項１３】
前記制御手段は、前記温度検知手段から前記温度制御に用いる温度検知部材を選択するとき所定の部材間の出力差が所定値以上ならば、その温度制御用にまずそれら所定の部材のうち検知された温度がより低い温度検知部材を選択し、かつ、温度制御のための目標温度として所定の設定温度より高い第３の設定温度を設定していったん温度制御し、その後の印字中は、いずれの幅の記録材もが接触する前記発熱手段の箇所の温度を検知する温度検知部材を用いて、前記温度制御を行うことを特徴とする、請求項1記載の定着装置。
【請求項１４】
所定の設定温度より高い前記第３の設定温度をＴｈ、前記透磁性導電層のキュリー温度をＴｃとして、Ｔｃ−Ｔｈ≧１５℃の関係が成立することを特徴とする請求項９〜１３のいずれか一項に記載の定着装置。
【請求項１５】
前記発熱手段は、前記透磁性導電層を挟んで前記励磁手段と対向した側に形成された非磁性導電層をさらに有することを特徴とする請求項１に記載の定着装置。
【請求項１６】
前記発熱手段は、前記透磁性導電層を挟んで前記励磁手段と対向した側に形成された非磁性導電層をさらに有し、
形成されたその非磁性導電層の幅が、最大記録材の幅より広く、かつ前記透磁性導電層の幅より狭いことを特徴とする請求項１に記載の定着装置。
【請求項１７】
請求項１から請求項１６のいずれか一項に記載の定着装置を用いたことを特徴とする画像形成装置。
【発明の詳細な説明】
【技術分野】
【０００１】
本発明は、電子写真方式又は静電記録方式の複写機、ファクシミリ、プリンタなどの画像形成装置に用いられる定着装置、特に、トナーで形成されている未定着の画像を電磁誘導加熱方式によって紙その他の記録材に加熱定着する定着装置およびこの定着装置を用いた画像形成装置に関する。
【背景技術】
【０００２】
近年、複写機、ファクシミリ、プリンタなどに用いられる加熱定着装置（単に定着装置とも呼ぶ）の、省エネルギーに関する取り組みが盛んに行われている。そしてその有力な構成として、電磁誘導加熱方式を採用することが盛んに行われている。電磁誘導加熱方式の定着装置においては、励磁コイルに交流電流が印加され、この励磁コイルの周囲に交番磁界が発生する。そして発生した交番磁界が導電体と鎖交することによって誘導電流が発生し、この誘導電流により導電体に生じた熱が未定着画像の記録材への定着に用いられる。
【０００３】
また、定着装置内において加熱はされるものの記録材は通過しない領域である非通紙領域が昇温の際に過昇温するいわゆる非通紙領域過昇温の課題に対して、キュリー温度が所定温度に設定された整磁金属を発熱体として用いて自己温度制御を行い、過昇温を防止する構成も提案されている。
【０００４】
図２３はそのような提案の加熱定着装置におけるヒータと各紙サイズの記録材が通紙される領域との位置関係を示した図である。この加熱定着装置は、通紙可能な全てのサイズの記録材が通過する通紙域と、小サイズの記録材は通過しない非通紙領域とにそれぞれ設置した温度検知素子を備え、温度を立ち上げる（温度の低い状態にある発熱体を加熱定着のために発熱させる）際に各温度検知素子が検知した温度により温度立ち上げ用の発熱体を選択することで長手方向の温度差を防止するものである。（例えば特許文献１参照）。
【０００５】
図２４は他の提案に係る画像加熱定着装置の要部正面模型図である。この画像加熱定着装置は、定着ローラの中央部温度を検知する第１のサーミスタと、端部温度を検知する第２のサーミスタとが配設されており、第１のサーミスタの検知温度に基づいて発熱部材の加熱を制御（温度制御）し、また第２のサーミスタの検知温度に基づいて、発熱部材の所定領域の温度を低下させる温度低下部材を温度低下有効位置と待避位置との間において移動させて、通紙範囲外が異常昇温することを防止するものである。（例えば特許文献２参照）。
【０００６】
また、図２５はさらに他の提案に係る定着部の断面構成図である。この定着部は、定着ローラの最大発熱部近傍の温度を検知する第１の温度検知手段と、最大発熱部の回転方向下流側の温度を検知する第２の温度検知手段とを有し、温度制御手段は前記温度検知手段のうち少なくとも一つの温度検知手段で得られた温度情報に基づき発熱を制御（温度制御）して、異常昇温状態における安全性の確保と定着ニップ部で与える熱量の正確な制御を行えるようにしたものである。（例えば特許文献３参照）。
【特許文献１】特開２０００−２３５３２６号公報
【特許文献２】特開２００５−２０８６２４号公報
【特許文献３】特開２００５−５５４７７号公報
【発明の開示】
【発明が解決しようとする課題】
【０００７】
しかしながら、２つの温度検知素子の検知した温度により温度立ち上げ時の発熱体を選択するだけの上述の従来の構成では、発熱を行う領域（便宜的に、発熱分布と呼ぶ）は各発熱体の幅に限られておりまたその発熱はその幅内においてほぼ一様（各部の温度にかかわらずほぼ一様に昇温する）なので記録材の幅によってはその幅における温度立ち上げ時の温度分布が均一にとりきれず、従って、幅の狭い記録紙を通過させた場合、記録紙の幅と発熱分布とが適合していないと温度が高い又は低いところができて、定着不良やオフセットや光沢ムラ、しわを生ずるといった課題があった。
【０００８】
２つのサーミスタにより定着ローラの温度を検知し、通紙範囲外での検知温度に基づき温度低下部材を有効位置と待避位置との間において移動させる従来の構成では、構成が複雑でコストアップを招き、また温度分布における差（便宜上、単に温度分布とも呼ぶ）がある（所定の発熱をする領域内において温度が均一になってはいない）状態での温度の立ち上げにおいて、特許文献２には記載されていないが、温度低下部材が待避位置にあるときではその温度分布が残り、一方有効位置にあるときではその温度低下部材による温度低下効果が却って効きすぎるとより温度分布を招くと推察され、そのような温度分布が低減するまでの待機時間を要するといった課題があった。
【０００９】
定着ローラの最大発熱部近傍の温度を検知する第１の温度検知手段と、最大発熱部の回転方向下流側の温度を検知する第２の温度検知手段とを有し、温度制御手段は前記温度検知手段のうち少なくとも一つの温度検知手段で得られた温度情報に基づいて発熱を制御（温度制御）する従来の構成では、定着ローラ周方向の温度差を検知しニップ部の熱量の制御や異常昇温状態の安全性が確保されるが、定着ローラ軸方向の温度分布は依然解消されないといった課題があった。
【００１０】
本発明は、これらのような従来の課題を解決するものであり、前回及びそれ以前の画像形成（印字とも呼ぶ）に際し為された発熱動作の経緯（昇温及び降温の経緯）である温度履歴による温度分布が発熱手段の幅方向に残った状態で印字（定着）指令が出された場合でも、温度履歴によるその温度分布を速やかに低減し、よって温度分布が小さくなるまで印字（定着）動作を待機させることなく、効率的な印字を可能とした定着装置およびこの定着器と用いた画像形成装置を提供することを目的とする。
【課題を解決するための手段】
【００１１】
本発明に係る定着装置は、面上に色材で画像が形成された記録材を加熱加圧してその色材をその記録材上に定着する定着装置であって、当該装置における定着動作をその制御条件に基づいて制御する制御手段と、前記制御手段に操作されて磁界を形成する励磁手段と、少なくとも一部が、前記励磁手段によって形成された磁界内にあって、その磁界の磁力線を内部に浸透させて発熱する発熱手段と、前記記録材と前記発熱手段とを互いに接触させてそれらの間に圧力を与える加圧手段と、温度を検知する温度検知部材を具備しておりその温度検知部材で前記発熱手段の幅方向所定の位置の温度を検知して前記制御手段へ出力する温度検知手段とを含み備え、前記発熱手段は、常温では磁性を有するも所定の温度以上では磁性が無くなる整磁材料からなる透磁性導電層を有し、また、前記温度検知手段は前記幅方向の位置がそれぞれ異なる少なくとも２つ以上の前記温度検知部材を有し、また、前記制御手段は、前記温度検知手段から温度制御に用いる温度検知部材をそれぞれからの出力情報に基づき選択し、そして、前記励磁手段を操作して前記発熱手段での発熱を制御する温度制御をその選択した温度検知部材からの出力情報に基づき行う構成を採る。
【発明の効果】
【００１２】
上記の構成により、本発明に係る定着装置は、例えば、幅の狭い記録材が連続通過（接触）された際には、発熱手段において、記録材が通過する部分は温度検知手段にてその温度が検知される温度（発熱）制御がなれるので設定温度となるが、記録材幅外の温度は発熱部材のキュリー温度より僅かに低い温度まで上昇してその温度で安定する。
【００１３】
その後、発熱手段全体の温度が室温に低下する以前に再度印字（定着）を行う時点では、発熱手段はその熱伝導率の低さに起因して軸方向に温度分布が残っている。あるいは、幅の広い記録材を連続通紙させた後の時でも、発熱手段の端部の熱は軸受部を通して移動するが、中央部の熱は発熱部材の熱伝導率の低さに起因して端部へほとんど移動しないので、軸方向に温度差のある温度分布（軸方向の温度分布とも呼ぶ）が形成されている。そして、このように温度履歴による軸方向の温度分布が残っている状態で次の印字（定着）の準備のために発熱部材を設定温度まで再発熱させる時も、その温度は、一般には均一にならずに温度分布が残る。
【００１４】
しかし、本発明では、温度（発熱）制御を少なくとも２つの温度検知部材の検知温度の低い方の検知温度を基に行うので、温度の低かった部分は設定温度に昇温されて温調され、また、温度の高かった部分は、設定温度より高温に発熱するものの、整磁材からなる透磁性導電層の比透磁率が低下し、磁束密度が低下するので、発熱効率が低下し発熱量は低下して設定温度との差は低減される。すなわち、温度の低かった部分と温度の高かった部分との温度差つまり発熱手段の温度分布における差が抑えられる。したがってこのような発熱手段では温度分布における差が小さくなるまで印字（定着）動作を待機させる必要がなく効率的な印字が可能となり、エネルギーの消費量も低減できる。
【００１５】
そのような本発明によれば、連続通紙時の記録材幅外の過昇温の抑制と、温度履歴による温度分布が残った状態での印字（定着）準備時において、温度分布上の差が迅速に低減でき、印字（定着）動作開始までの待機時間を解消して効率的な印字が可能となり、待機時間における消費電力の低減を実現することができる。
【発明を実施するための最良の形態】
【００１６】
本発明の実施の第１の形態は、面上に色材で画像が形成された記録材を加熱加圧してその色材をその記録材上に定着する定着装置であって、当該装置における定着動作をその制御条件に基づいて制御する制御手段と、前記制御手段に操作されて磁界を形成する励磁手段と、少なくとも一部が、前記励磁手段によって形成された磁界内にあって、その磁界の磁力線を内部に浸透させて発熱する発熱手段と、前記記録材と前記発熱手段とを互いに接触させてそれらの間に圧力を与える加圧手段と、温度を検知する温度検知部材を具備しておりその温度検知部材で前記発熱手段の幅方向（記録材が走行ものであるときにはその走行方向に直交した方向）所定の位置の温度を検知して前記制御手段へ出力する温度検知手段とを含み備える定着装置である。そして、前記発熱手段は、常温では磁性を有するも所定の温度以上では磁性が無くなる整磁材料からなる透磁性導電層を有する。また前記温度検知手段は前記幅方向の位置がそれぞれ異なる少なくとも２つ以上の前記温度検知部材を有し、また前記制御手段は、前記温度検知手段から前記発熱手段での発熱の制御（温度制御）に用いる温度検知部材をそれぞれからの出力情報（出力値、すなわち検知された温度）に基づき選択し、そして、前記励磁手段を操作してその温度制御をその選択した温度検知部材からの出力情報に基づき行うる構成となっている。
【００１７】
つまり、整磁材料からなる発熱手段の温度を検知する温度検知部材を少なくとも２つ以上配設させており、前回及びそれ以前の画像形成（印字とも呼ぶ）に際し為された発熱動作の経緯（昇温及び降温の経緯）である温度履歴による温度分布が残った状態で印字（定着）指令が出された場合、発熱の制御（温度制御）に用いるものを２以上の前記温度検知部材からそれぞれの出力情報に基づき特定して選択し、その選択された温度検知部材を用いてその温度制御を行う定着装置である。
【００１８】
このような定着装置は、熱容量が少ない。そしてキュリー温度以下の場合には、励磁手段からの磁力線が透磁性導電層の表面に付近に浸透して、急速に発熱する。一方、温度がキュリー温度を超えた場合にその領域では、励磁手段からの磁力線が透磁性導電層の厚み全体に浸透し肉厚全体に誘導電流が流れる。誘導電流の流れる部分の厚さが大きく変化すると、その結果抵抗値が変化し、一定電流で励磁されている元では、発熱量がその抵抗値に比例して変化するので、発熱量が低下し、過昇温が抑制されるという作用を有する。
【００１９】
また、前回の印字後発熱手段の温度が室温に戻る前に次の印字指令が出された場合、発熱手段には、印字した記録材や印字枚数や印字終了後の経過時間等により種々の温度履歴による温度分布が残っている。例えば、小さなサイズの記録材で印字した場合は、中央部より端部の方が高い温度分布を有し、本装置において使用可能な最大サイズの記録材（最大記録材とも呼ぶ）で印字した場合は、発熱体である発熱手段の整磁材料の熱伝導率の低さにより中央部が端部より高い温度分布を有する。
【００２０】
また、本形態の定着装置は、少なくとも２つ以上の温度検知部材の出力情報に基づいて温度分布の軽減に有効な温度検知部材を選択して温度制御することにより、温度分布の速やかな軽減が可能となり、温度分布軽減のために待機する必要がなく、効率的な印字および消費電力の低減が可能となる。
【００２１】
これらのように、本形態は、ウォームアップ時の迅速な立ち上げと、連続通紙時の記録材幅外の過昇温の抑制とを両立させて共に実現することができ、さらに、温度履歴による温度分布を速やかに低減し、効率的な印字と消費電力の低減も実現することができる。
【００２２】
本発明の実施の第２の形態は、上記第１の形態において、前記温度検知手段は、その温度検知部材の少なくとも１つはいずれ（当該定着装置にて定着可能な全ての記録材について）の幅の記録材もが接触（当該箇所に対して接して通過）する前記発熱手段の箇所の温度を検知し、他の少なくとも１つの温度検知部材は最大記録材の幅端部と接触（端部が当該箇所に対して接して通過）する前記発熱手段の箇所の温度を検知する定着装置である。
【００２３】
このような定着装置は、温度検知部材が、少なくとも、当該定着装置にて定着可能な記録材の最小幅に当たる位置と最大幅に当たる位置との２箇所に配設されているので、それらの温度検知部材での検知温度を基に、いずれの記録材で印字した後も発熱手段の温度分布をほぼ的確に得ることが可能であり、従って最適な制御条件を選択することで速やかな温度分布の低減が可能となる。
【００２４】
本発明の実施の第３形態は、上記第１の形態において、前記温度検知手段は、その温度検知部材の少なくとも１つはいずれの幅の記録材もが接触する前記発熱手段の箇所の温度を検知し、また、前記制御手段は、前記温度検知手段から前記温度制御に用いる温度検知部材を選択するとき所定の部材間の出力差（出力値の差、すなわちすなわち検知された温度の差）が所定値以下ならば、いずれの幅の記録材もが接触する前記発熱手段の箇所の温度を検知する温度検知部材をその温度制御用に選択するように構成した定着装置である。
【００２５】
このような定着装置は、温度検知部材間の出力差が所定値以下、言い換えれば、発熱手段上の各箇所の温度差が小さいので、当該定着装置にて定着可能な全ての記録材が接触する前記発熱手段の箇所の温度を基に温度制御することで、記録材のいずれのサイズについても速やかな印字開始が可能であり、よって印字開始までの消費電力の低減が可能である。
【００２６】
本発明の実施の第４の形態は、上記第１の形態において、前記制御手段は、前記温度検知手段から前記温度制御に用いる温度検知部材を選択するとき所定の部材間の出力差が所定値以上ならば、それら所定の部材のうち検知された温度がより低い温度検知部材をその温度制御用に選択するように構成した定着装置である。
【００２７】
このような定着装置は、温度検知部材間の出力差が所定値以上、言い換えれば、発熱手段上の各箇所の温度差が大きくても（大きな温度分布が残っていても）、検知された温度がより低い温度検知部材で温度制御を行うことになり、このとき一部箇所において温度が温度制御における目標温度を超えたとしてもその箇所では整磁材料における作用により過昇温は抑えられるので、発熱手段全体として結果的に速やかな温度分布の低減が可能である。
【００２８】
本発明の実施の第５の形態は、上記第１の形態において、前記制御手段は、前記温度検知手段から前記温度制御に用いる温度検知部材をそれぞれからの出力情報と定着される前記記録材の幅が特定できる情報とに基づき選択するように構成した定着装置である。
【００２９】
このような定着装置は、定着される記録材の幅をその情報によって特定でき、かつその幅における発熱手段の温度を速やかに所定の温度にする温度制御を行うための最適な温度検知部材を温度検知部材それぞれからの出力情報によって選択できるので、そのようにして選択した温度検知部材を用いて、記録材の通過する部分の温度を設定温度にすることが可能で速やかな印字開始が可能となる。
【００３０】
本発明の実施の第６の形態は、上記第１の形態において、前記制御手段は、前記温度検知手段から前記温度制御に用いる温度検知部材を、それぞれからの出力情報と定着される前記記録材の幅が特定できる情報とに基づき、前記発熱手段のその記録材幅端部付近の温度を推定して、選択し、かつ所定の設定温度をその温度制御のための目標温度として設定して、前記温度制御を行うように構成した定着装置である。
【００３１】
このような定着装置は、定着される記録材の幅をその情報によって特定でき、かつその幅における端部付近の温度を温度検知部材それぞれからの出力情報によって推定して、その幅における発熱手段の温度を速やかに所定の温度にする温度制御を行うための最適な温度検知部材を選択できるので、そのようにして選択した温度検知部材を用いて、記録材の通過する部分の温度をより設定温度に近づけることが可能で、速やかな印字開始が可能となる。
【００３２】
本発明の実施の第７の形態は、上記第１の形態において、前記制御手段は、前記温度検知手段から前記温度制御に用いる温度検知部材を、それぞれからの出力情報と定着される前記記録材の幅が特定できる情報とに基づき、前記発熱手段のその記録材幅端部付近の温度を推定して、選択し、かつ所定の設定温度をその温度制御のための目標温度として設定して、前記温度制御を行い、ここで、その所定の設定温度は印字準備中と印字中とでは異なる温度とするように構成した定着装置である。
【００３３】
このような定着装置は、定着される記録材の幅をその情報によって特定でき、かつその幅における端部付近の温度を温度検知部材それぞれからの出力情報によって推定して、その幅における発熱手段の温度を速やかに所定の温度にする温度制御を行うための最適な温度検知部材の選択及び目標温度の設定をするので、そのようにして選択し又は設定した温度検知部材及び目標温度での温度制御によって温度分布を迅速に低減することが可能で、速やかな印字開始が可能となる。
【００３４】
本発明の実施の第８の形態は、上記第１の形態において、前記制御手段は、前記温度検知手段から前記温度制御に用いる温度検知部材を選択するとき所定の部材間の出力差が所定値以上ならば、それら所定の部材のうち検知された温度がより低い温度検知部材をその温度制御用に選択し、かつ定着温度より低い第２の設定温度をその温度制御のための目標温度として設定して、前記温度制御を行うように構成した定着装置。
【００３５】
このような定着装置は、温度制御に用いる温度検知部材及び目標温度をそのように選択し又は設定することで、高温箇所に比べ所定以上に温度が低い低温箇所における温度を定着温度よりも僅かに低い温度（第２の設定温度）とすべく温度制御を行うことができ、その温度制御によって低温箇所は定着温度を超えることなく第２の設定温度（定着温度よりも僅かに低い温度）にまで速やかに昇温され、一方そのように昇温されたときでも発熱手段が整磁材料で成っているゆえ高温箇所でも過昇温がキュリー温度までに抑えられる。このように、最適な温度検知部材を用いて記録材の通過する部分の温度をより温度制御における本来の目標温度である定着温度に近づけることが可能で、速やかな印字開始が可能となる。
【００３６】
本発明の実施の第９の形態は、上記第１の形態において、前記制御手段は、前記温度検知手段から前記温度制御に用いる温度検知部材を選択するとき所定の部材間の出力差が所定値以上ならば、それら所定の部材のうち検知された温度がより低い温度検知部材をその温度制御用に選択し、かつ、温度制御のための目標温度としてまず所定の設定温度（例えば定着温度）より高い第３の設定温度を設定していったん温度制御した後に所定の設定温度を設定して、前記温度制御を行うように構成した定着装置である。
【００３７】
このような定着装置は、温度制御に用いる温度検知部材及び目標温度をそのように選択し又は設定することで、高温箇所に比べ所定以上に温度が低い低温箇所における温度を所定の設定温度（例えば定着温度）よりもさらに高い温度（第３の設定温度）とすべく温度制御を行うので、その温度制御によって低温箇所は第３の設定温度へ速やかに昇温されるが、このとき発熱手段に例えば大きな温度分布が残っていたことから局部的に過昇温があったとしても発熱手段が整磁材料で成っているゆえその過昇温はキュリー温度までに抑えられ、かつ高温箇所も同様に過昇温はキュリー温度までに抑えられている。そして、そのような状態になった後に温度制御の目標温度を所定の設定温度（定着温度）とすることで、発熱手段の全体をその温度（定着温度）にすることができる。このように、大きな温度分布が残った場合でも速やかな温度分布の低減が可能で速やかな印字開始が可能となる。
【００３８】
本発明の実施の第１０の形態は、上記第１の形態において、前記制御手段は、前記温度検知手段から前記温度制御に用いる温度検知部材を選択するとき所定の部材間の出力差が所定値以上ならば、それら所定の部材のうち検知された温度がより低い温度検知部材をその温度制御用に選択し、かつ、温度制御のための目標温度としてまず所定の設定温度（例えば定着温度）より高い第３の設定温度を設定していったん温度制御し、そして記録材を当該装置に所定数通した後に所定の設定温度を設定して、前記温度制御を行うように構成した定着装置である。
【００３９】
このような定着装置は、温度制御に用いる温度検知部材及び目標温度をそのように選択し又は設定することで、高温箇所に比べ所定以上に温度が低い低温箇所における温度を所定の設定温度（例えば定着温度）よりもさらに高い温度（第３の設定温度）とすべく温度制御を行うので、その温度制御によって低温箇所は第３の設定温度へ速やかに昇温されるが、このとき発熱手段に例えば大きな温度分布が残っていたことから局部的に過昇温があったとしても発熱手段が整磁材料で成っているゆえその過昇温はキュリー温度までに抑えられ、かつ高温箇所も同様に過昇温はキュリー温度までに抑えられている。そして、そのような状態で記録材を当該装置に所定数通すことで発熱手段の通紙された範囲（この範囲においては装置構造上一般的に発熱の効率が非通紙領域に比べ比較的良い）における温度が第３の設定温度からやや下がって所定の設定温度（定着温度）に近づくので、その後に温度制御の目標温度を所定の設定温度（定着温度）として温度制御したとき、発熱手段はそのような範囲における温度が速やかにその温度（定着温度）になる。このように、大きな温度分布が残った場合でも速やかな温度分布の低減が可能でより速やかな印字開始が可能となる。
【００４０】
本発明の実施の第１１の形態は、上記第１の形態において、前記制御手段は、前記温度検知手段から前記温度制御に用いる温度検知部材を選択するとき所定の部材間の出力差が所定値以上ならば、それら所定の部材のうち検知された温度がより低い温度検知部材をその温度制御用に選択し、かつ、温度制御のための目標温度としてまず所定の設定温度（例えば定着温度）より高い第３の設定温度を設定していったん温度制御し、そして前記発熱を抑制して所定時間経過後に所定の設定温度を設定して、前記温度制御を行うように構成した定着装置である。
【００４１】
このような定着装置は、温度制御に用いる温度検知部材及び目標温度をそのように選択し又は設定することで、高温箇所に比べ所定以上に温度が低い低温箇所における温度を所定の設定温度（例えば定着温度）よりもさらに高い温度（第３の設定温度）とすべく温度制御を行うので、その温度制御によって低温箇所は第３の設定温度へ速やかに昇温されるが、このとき発熱手段に例えば大きな温度分布が残っていたことから局部的に過昇温があったとしても発熱手段が整磁材料で成っているゆえその過昇温はキュリー温度までに抑えられ、かつ高温箇所も同様に過昇温はキュリー温度までに抑えられている。そして、そのような状態で前記発熱を抑制して所定時間経過させることで発熱手段の温度が第３の設定温度からやや下がって所定の設定温度（定着温度）に近づくので、その後に温度制御の目標温度を所定の設定温度（定着温度）として温度制御したとき、発熱手段は温度が速やかにその温度（定着温度）になる。このように、大きな温度分布が残った場合でも速やかな温度分布の低減が可能で速やかな印字開始が可能となる。
【００４２】
本発明の実施の第１２の形態は、上記第１の形態において、前記制御手段は、前記温度検知手段から前記温度制御に用いる温度検知部材を選択するとき所定の部材間の出力差が所定値以上ならば、それら所定の部材のうち検知された温度がより低い温度検知部材をその温度制御用に選択し、かつ、温度制御のための目標温度としてまず所定の設定温度（例えば定着温度）より高い第３の設定温度を設定していったん温度制御し、そして前記発熱を抑制して温度が所定の設定温度まで低下した後に所定の設定温度を設定して、前記温度制御を行うように構成した定着装置である。
【００４３】
このような定着装置は、温度制御に用いる温度検知部材及び目標温度をそのように選択し又は設定することで、高温箇所に比べ所定以上に温度が低い低温箇所における温度を所定の設定温度（例えば定着温度）よりもさらに高い温度（第３の設定温度）とすべく温度制御を行うので、その温度制御によって低温箇所は第３の設定温度へ速やかに昇温されるが、このとき発熱手段に例えば大きな温度分布が残っていたことから局部的に過昇温があったとしても発熱手段が整磁材料で成っているゆえその過昇温はキュリー温度までに抑えられ、かつ高温箇所も同様に過昇温はキュリー温度までに抑えられている。そして、そのような状態で前記発熱を抑制して発熱手段の温度が所定の設定温度（定着温度）に低下するのを待って、その後に温度制御の目標温度を所定の設定温度（定着温度）として温度制御するので、発熱手段は温度が直ちにその温度（定着温度）にて安定する。このように、大きな温度分布が残った場合でも速やかな温度分布の低減が可能で速やかな印字開始が可能となる。
【００４４】
本発明の実施の第１３の形態は、上記第１の形態において、前記制御手段は、前記温度検知手段から前記温度制御に用いる温度検知部材を選択するとき所定の部材間の出力差が所定値以上ならば、その温度制御用にまずそれら所定の部材のうち検知された温度がより低い温度検知部材を選択し、かつ、温度制御のための目標温度として所定の設定温度より高い第３の設定温度を設定していったん温度制御し、その後の印字中は、いずれの幅の記録材もが接触する前記発熱手段の箇所の温度を検知する位置に配置した温度検知部材を用いて、前記温度制御を行うように構成した定着装置である。
【００４５】
このような定着装置は、温度制御に用いる温度検知部材及び目標温度をそのように選択し又は設定することで、高温箇所に比べ所定以上に温度が低い低温箇所における温度を所定の設定温度（例えば定着温度）よりもさらに高い温度（第３の設定温度）とすべく温度制御を行うので、その温度制御によって低温箇所は第３の設定温度へ速やかに昇温されるが、このとき発熱手段に例えば大きな温度分布が残っていたことから局部的に過昇温があったとしても発熱手段が整磁材料で成っているゆえその過昇温はキュリー温度までに抑えられ、かつ高温箇所も同様に過昇温はキュリー温度までに抑えられている。そして、そのような状態でその後の印字中は、いずれの幅の記録材もが接触する発熱手段の箇所の温度を検知する位置に配置した温度検知部材を温度制御に用いるので、発熱手段は通紙されてもその領域の温度が適切に温度制御され安定に保たれる。このように、大きな温度分布が残った場合でも速やかな温度分布の低減と速やかな印字開始が可能となり、記録材通過部分の正確な温度制御が可能となる。
【００４６】
本発明の実施の第１４の形態は、上記第９〜１３の形態において、所定の設定温度より高い前記第３の設定温度をＴｈ、前記透磁性導電層キュリー温度をＴｃとした場合、Ｔｃ−Ｔｈ≧１５℃の関係が成立するように構成した定着装置である。
【００４７】
このような定着装置は、第３の設定温度まで昇温するときに昇温速度が低下することなく、また励磁用電源における負荷変動動作が不安定になることがない。
【００４８】
本発明の実施の第１５の形態は、上記第１の発明において、前記発熱手段は、前記透磁性導電層を挟んで前記励磁手段と対向した側に形成された非磁性導電層をさらに有する定着装置である。
【００４９】
このような定着装置は、発熱手段における熱に温度分布差があっても熱伝導率の高い非磁性導電層でその層が形成された領域全体へ伝熱されて均一化されるので記録材が通紙されない領域である記録材非接触部分（非通紙領域）の過昇温がより確実に抑制可能となり、温度分布の低減を一層効果的に行うことが可能である。
【００５０】
本発明の実施の第１６の形態は、上記第１の形態において、前記発熱手段は、前記透磁性導電層を挟んで前記励磁手段と対向した側に形成された非磁性導電層をさらに有し、形成されたその非磁性導電層の幅が、最大記録材の幅より広く、かつ前記透磁性導電層の幅より狭い定着装置である。
【００５１】
このような定着装置は、発熱手段における熱に温度分布差があっても熱伝導率の高い非磁性導電層でその層が形成された領域全体へ伝熱されて均一化されるが、このとき非磁性導電層での熱伝導は透磁性導電層が形成されている加熱手段全体に及ぶことなく、すなわち記録材が通紙されない領域への伝熱（つまり放熱）がされることなく、最大記録材より僅かに広い範囲（記録材が通紙される範囲にほぼ等しい）における温度分布差を効率的に低減することが可能である。
【００５２】
本発明の実施の第１７の形態は、上記第１から第１６の形態の何れか一における定着装置を用いた画像形成装置である。
【００５３】
このような画像形成装置は、ウォームアップが速く、幅の狭い記録材を連続通紙させた場合の非通紙領域の過昇温を防止し、温度履歴による温度分布が残った状態で印字指令が出された場合に、迅速な温度分布の低減が可能で、速やかな印字開始が可能である。
【実施例】
【００５４】
以下に、本発明に係る加熱定着装置又は画像形成装置の実施例について図面を用いて詳細に説明する。なお、これらの実施例に本発明が限定されるものではない。
【００５５】
（実施例１）
図１は、本発明の実施例１としての加熱定着装置を具備した画像形成装置の概略構成を示す図である。
【００５６】
同図に示すように、この画像形成装置の画像形成装置本体１００には、電子写真感光体（以下、「感光ドラム」という）１０１が回転自在に配設されている。
【００５７】
図１において、感光ドラム１０１は、矢印の方向に所定の周速度で回転駆動されながら、その表面が帯電器１０２によってマイナスの所定の暗電位Ｖ０に一様に帯電される。
【００５８】
レーザービームスキャナ１０３は、図示しない画像読取装置又はコンピュータ等のホスト装置から画像情報の時系列電気デジタル画素信号を入力し、その信号に対応して変調させたレーザービーム１０４を出力する。
【００５９】
一様に帯電された感光ドラム１０１の表面は、レーザービーム１０４によって走査露光される。これにより、感光ドラム１０１の露光部分は電位絶対値が低下して明電位ＶＬとなり、感光ドラム１０１の表面に静電潜像が形成される。この静電潜像は、後述するように、現像器１０５のマイナスに帯電したトナーで反転現像され、顕像（トナー像）化される。
【００６０】
現像器１０５は、回転駆動される現像ローラ１０６を備えている。
【００６１】
現像器１０５内において、現像ローラ１０６は、感光ドラム１０１に対向して配置されており、その外周面上にトナーの薄層が形成される。そして、現像ローラ１０６には、その絶対値が感光ドラム１０１の暗電位Ｖ０よりも小さく、明電位ＶＬよりも大きい現像バイアス電圧が印加されており、これにより、現像ローラ１０６の外周面上のトナーが、感光ドラム１０１表面上の明電位ＶＬの部分（静電潜像が形成された部分）にのみ転写されて、静電潜像が顕像化され、感光ドラム１０１上に未定着トナー像（以下、「トナー像」という）１１１が形成される。
【００６２】
一方、給紙部１０７からは、記録材としての紙、フィルムその他の記録紙１０９が給送ローラ１０８によって一枚ずつ給送される。
【００６３】
給送された記録紙１０９は、一対のレジストローラ１１０によって、感光ドラム１０１と転写ローラ１１２とのニップに、感光ドラム１０１の回転と同期した適切なタイミングで送られる。ニップにおいて、感光ドラム１０１上のトナー像１１１が、転写バイアスが印加された転写ローラ１１２により、記録紙１０９上へ転写される。
【００６４】
このようにしてトナー像１１１が形成担持された記録紙１０９は、記録紙ガイド１１４により案内されて感光ドラム１０１から分離された後、加熱定着装置（以下、「定着装置」という）２００の定着部位に向けて搬送される。そして、この定着部位に搬送された記録紙１０９に、定着装置２００によってトナー像１１１が加熱定着される。
【００６５】
トナー像１１１が加熱定着された記録紙１０９は、定着装置２００を通過した後、画像形成装置本体１００の外部に配設された排紙トレイ１１５上に排出される。
【００６６】
記録紙１０９が分離された後の感光ドラム１０１は、その表面の転写残トナー等の残留物がクリーニング装置１１３によって除去され、繰り返し次の画像形成に供される。
【００６７】
図２および図３は本発明の実施例１に係る定着装置の構成を示す断面模型図である。これらの図で示すように、定着装置２００は、発熱手段２１０、加圧手段２２０、温度検知手段２３０、および励磁手段２４０を有している。
【００６８】
発熱手段２１０は少なくとも発熱ローラ２１１を含んでおり、発熱ローラ２１１は、直径が例えば４０ｍｍの円筒形状のローラで、断熱ブッシュ２１２を介して軸受２１３に支持され、トナー像が形勢担持された記録紙１０９を矢印方向へ搬送するように、回転する。
【００６９】
図４は発熱ローラ２１１の表層部分を拡大した断面模型図である。その図４に示すように、発熱ローラ２１１は、その中心軸に近い方から順に、透磁性導電層２１４と保護層２１６と離型層２１７とが積層されて構成されている。
【００７０】
透磁性導電層２１４は、キュリー温度が所定の温度となるように設定された、整磁材料からなっており、例えば直径が４０ｍｍ、肉厚が０．７ｍｍ、全長が３８５ｍｍの中空円筒形状に成形されている。発熱ローラ２１１の熱容量を考慮すると、透磁性導電層２１４を薄くして熱容量を小さくし、発熱ローラ２１１の温度を速やかに上昇させるのが望ましい。しかし、キュリー温度以下において、透磁性導電層２１４の厚みが表皮深さより薄いと、磁力線は透磁性導電層２１４を貫通して、発熱効率が低下し好ましくない。このため、透磁性導電層２１４は、この層を形成する整磁金属の表皮深さよりも厚くしておくことが望ましい。具体的には、透磁性導電層２１４の肉厚は、０．２ｍｍから１ｍｍであることが好ましい。
【００７１】
透磁性導電層２１４を形成する整磁材料としては、例えば鉄とニッケルの合金または鉄とニッケルとクロムの合金などが用いられる。そして、これらの各金属の配合を調整することにより、整磁材料のキュリー温度を所定の温度に設定することができる。本実施例においては、透磁性導電層２１４を形成する整磁材料のキュリー温度を、トナーの定着温度（本実施例では１８０℃としている）に近い２１０℃に設定してあるものとする。したがって、透磁性導電層２１４は、温度が２１０℃以下では強磁性体としての特性を示すが、温度が２１０℃を超えると非磁性体としての特性を示す。この場合、整磁材料の固有抵抗は８１．５×１０-8Ωｍであった。なお、キュリー温度は２１０℃に限らず、他の温度に設定してもよい。
【００７２】
発熱ローラ２１１は厚み約１ｍｍの板材からなる整磁材料をロール状に曲げて溶接し、端部をカップ状に加工し、これをスピニング加工により薄肉化し、直径４０ｍｍ、厚み０．７ｍｍ、長さ３８５ｍｍのローラ形状としたものである。加工法としてはもちろんこれに限定されるものではなく、ロール状に曲げて溶接後しごきにより管材を薄肉化するアイアニング加工や、引抜加工によって一次仕上げ後、機械加工により外形を仕上げて薄肉円筒体にする方法などがある。なお、いずれにしても肉厚の薄い管材にする場合、整磁材料に塑性加工を施し、強い機械的ストレスを掛けることでその磁気特性が大きく変化してしまう。
【００７３】
図５はこのスピニング加工を施した直後の比透磁率の温度特性を示したものである。比透磁率の温度特性は４５Ａ／ｍ、３０ｋＨｚ交流磁場の条件下での測定値を示す。比透磁率は、Ｔｓで示す１６８℃近辺から低下を初めキュリー温度Ｔｃ＝２２２℃でほぼ非磁性となる。なお、比透磁率が半減する温度（この温度を半減値と呼ぶ）Ｔｈは２０４℃であった。Ｔｓは、整磁材料の比透磁率が低下し始める温度を意味する。次に、この加工直後の発熱ローラ２１０を窒素ガス等の不活性ガス雰囲気下８００℃で1時間保持した後２００℃以下に徐冷するアニール処理を施したものが図６にその特性を示す本発明の発熱ローラ２１１である。図５と比較して解るようにアニール処理後は透磁率の変化が急峻になり半減値Ｔｈは２０５℃でアニール前とほぼ同じであるがキュリー温度Ｔｃは２１０℃、比透磁率の低下し始める温度Ｔｓは１９５℃となった。
【００７４】
なお、保護層２１６および離型層２１７は本アニール処理後に形成する。
【００７５】
以上のことから比透磁率の低下し始める温度Ｔｓは、定着設定温度（単に設定温度とも呼ぶ）よりもできるだけ高い温度に設定することが望ましいが、これに合わせてキュリー温度を高く設定すると記録材幅外の過昇温が高くなり過ぎ好ましくない。キュリー温度としては定着装置２００に用いられる耐熱性樹脂の耐熱温度を考慮して２２０℃以下のできるだけ低い温度であることが望ましい。
【００７６】
保護層２１６は、透磁性導電層２１４の外周面にめっき、メタライジング等により形成された、肉厚が例えば２μｍのニッケル層である。保護層２１６は、透磁性導電層２１４の表面を覆うことにより、透磁性導電層２１４の酸化を防止し、耐久性を向上するとともに、離型層２１７の密着性が向上し剥離を防止する。保護層２１６としては、ニッケルの代わりに、クロムや亜鉛などを用いた肉厚が３μｍ程度の薄膜を形成してもよい。保護層２１６の肉厚が１μｍ以下となると、酸化防止層としての働きが不十分になる場合がある一方、１０μｍを超えると、熱容量が大きくなりウォームアップに時間がかかってしまい、また、記録材通過時に定着温度維持するための印加電力が増加し好ましくない。
【００７７】
離型層２１７は、例えばＰＴＦＥ、ＰＦＡ、またはＦＥＰなどのフッ素樹脂からなっており、保護層２１６の外表面に本装置において使用可能な最大サイズの記録材（最大記録材という。本実施例ではＡ３判紙）の通紙幅（本装置にて通紙されるときに、その走行方向に直交した方向線上の、記録材が通る範囲の長さ［幅］。最大幅とも呼ぶ。なお、「最大記録材幅」は、最大記録材の通紙幅の意であり、本実施例では、Ａ３判紙の短辺）より少し大きい３２０ｍｍの範囲に亘って形成された、肉厚が例えば２０μｍの層である。
【００７８】
なお、保護層２１６と離型層２１７との間にシリコーンゴム層を設けて、発熱ローラ２１１に弾力性を持たせてもよい。
【００７９】
再度図２および図３において、加圧手段２２０は、加圧ローラ２２１を、両端を図示しない軸受にて回転可能に支持するとともに、図示しない付勢手段により発熱ローラ２１１に圧接して記録紙１０９が通過するニップを形成する。加圧ローラ２２１は、発熱ローラ２１１の回転に従動して、記録紙１０９を矢印方向へ搬送するように中心軸周りに回転（図では時計回り）する。ここでは、加圧ローラ２２１が発熱ローラ２１１の回転に従動するものとしたが、加圧ローラ２２１を回転させて発熱ローラ２１１を従動させてもよい。
【００８０】
また、加圧ローラ２２１は、例えば硬度ＪＩＳＡ１０度のシリコーンゴムなどの熱伝導性が小さい弾性層２２２と芯金２２３よりなっており、弾性層の外径は３０ｍｍ、長さは３１５ｍｍに成形されており、小さな付勢力で所定のニップが形成される構成となっている。
【００８１】
なお、弾性層２２２の材料としては、例えばフッ素ゴムおよびフッ素樹脂などの耐熱性樹脂や他のゴムあるいはスポンジなどの発泡性樹脂を単独あるいは積層して用いてもよい。また、耐摩耗性や離型性を高めるために、ＰＴＦＥ、ＰＦＡ、またはＦＥＰなどの樹脂やゴムを単独又は混合して弾性層２２２の外周面を被覆することが望ましい。
【００８２】
図７は励磁手段２４０と温度検知手段２３０との関係を示す模型図である。
【００８３】
図２、３および７において、励磁手段２４０は少なくとも発熱ローラ２１１の外部に配置された励磁コイルユニット２４１と、励磁用電源２４６とを含み、マイクロコンピュータで構成された制御手段２４７に励磁用電源２４６が操作されて交流電流が励磁コイルユニット２４１へ供給される。励磁コイルユニット２４１は絶縁性保持部材２４２とコイル２４３とコア部材２４４とを含んでおり、絶縁性保持部材２４２によりコイル２４３が発熱ローラ２１１と所定間隔を保って保持されている。コイル２４３は、発熱ローラ２１１の約半周にリッツ線を周回させて形成されており、励磁用電源２４６により交流電流が流れることにより、発熱ローラ２１１が含まれた周囲に磁界を発生させる。コア部材２４４は例えばフェライトやパーマロイなどの透磁率および固有抵抗が高い磁性材料によって形成され、コイル２４３を覆うように配置される。コア部材２４４はコイル２４３によって発生する磁力線のうち発熱ローラ２１１とは反対側に発生する磁力線の通路となる。
【００８４】
励磁コイルユニット２４１による磁界は最大記録材の幅より僅かに広い３１５ｍｍの範囲に亘って発生可能に構成されている。
【００８５】
なお、本実施例に係る励磁コイルユニット２４１は発熱ローラ２１１の外部から発熱ローラ２１１を励磁するため、消耗品である発熱ローラ２１１などの部品の交換やメンテナンスの作業効率が良好である。
【００８６】
温度検知手段２３０は、図７に示すように、全てのサイズの記録材が通過する位置に配置された第１温度検知部材２３１と、最大記録材が通過する端部付近に配置された第２温度検知部材２３２とを少なくとも含んでおり、第１、２温度検知部材２３１、２３２は発熱ローラ２１１の外周面に当接して設けられ、発熱ローラ２１１の温度を検知する。本実施例１の定着装置には最も小さな記録材としてＡ５縦送り、最も大きな記録材としてＡ３縦送りまでの記録材が中央部を基準にして通紙可能となっており、第１温度検知部材２３１はその全ての記録材が通過する部分、例えば記録材の中央部に配置され、第２温度検知部材２３２は最も大きな記録材（Ａ３）の端部が通過する部分、具体的には記録材の中央部から１４５ｍｍの位置に配置されている。
【００８７】
温度検知手段２３０によって発熱ローラ２１１の温度が検知されると、例えば制御手段２４７によって給送ローラ１０８による記録紙１０９の給送開始が指示されたり、励磁用電源２４６から励磁コイルユニット２４１への交流電流の供給が制御されたりする。より具体的には、温度検知手段２３０によって発熱ローラ２１１の温度がトナー像１１１の定着に適した温度になったことが検知された場合は、制御手段２４７によって給送ローラ１０８の動作開始が指示され、印字が開始される。また、温度検知手段２３０によって発熱ローラ２１１の温度が所定の閾値よりも高くなったことが検知された場合は、励磁用電源２４６から励磁コイルユニット２４１への交流電流の供給が制御される。
【００８８】
次いで、上記のように構成された定着装置の動作について説明する。
【００８９】
図８は発熱ローラ内を流れる誘導電流を説明するための図であり、図中のハッチングで示した部分に誘導電流が流れることを示している。
【００９０】
まず、発熱ローラ２１１の温度がいま室温である場合について説明する。
【００９１】
画像形成装置１００は、その電源切断時やスリープ状態時には、通常、定着装置２００の発熱ローラ２１１の温度が、室温程度にまで低下し続け、本実施例のキュリー温度である２１０℃よりも大幅に低温となっている。
【００９２】
そして、画像形成装置１００は、印字を行うために電源が投入されたりスリープ状態から復帰したりする際には、トナー像１１１の定着に適した温度にまで発熱ローラ２１１を昇温する。
【００９３】
すなわち、印字（定着）の指示が出されると、第１、第２温度検知部材２３１、２３２の検出温度が制御手段２４７にて比較される。このとき、発熱ローラ２１１は室温になっており、第１、２温度検知部材２３１、２３２の出力に差はない。この場合は第１温度検知部材２３１の検出温度に基づき、発熱ローラ２１１の温度が制御され、励磁用電源２４６から励磁コイルユニット２４１に電圧が印加され、交流電流が流れる。ここで、この交流電流の周波数は、２０〜１００ｋＨｚであることが望ましい。本実施例１においては、この周波数を２０〜６０ｋＨｚとした。そして、発熱ローラ２１１は、励磁コイルユニット２４１に交流電流が流れることにより発生した磁力線（磁束）が透磁性導電層２１４と鎖交し、表皮効果によって透磁性導電層２１４の外周面付近、図８（ａ）のハッチングで示した部分に誘導電流を誘導し、ジュール熱によって透磁性導電層２１４が発熱する。
【００９４】
やがて発熱ローラ２１１が昇温してトナー像１１１の定着に適した設定温度（定着温度）にまで発熱すると、第１温度検知部材２３１によって発熱ローラ２１１の温度が検知され、制御手段２４７によって昇温を停止し、その設定温度（定着温度）を保つように制御される。なお、本実施例では定着温度は１８０℃としており、設定温度を１８０℃に設定し、励磁コイルユニットに約１２００Ｗの電力を投入することで最大記録材幅（Ａ３判紙短辺）全幅を室温２５℃から約２４．５秒で定着温度まで昇温させることができた。
【００９５】
次に連続して記録材を通過させる場合の動作を説明する。
【００９６】
図９はサイズの異なる記録紙１０９を連続通紙させた時の発熱ローラ２１１の軸方向の温度分布を示した図である。なお、発熱ローラ２１１の温度は、前述のように、第１温度検知部材２３１の出力温度に基づき設定温度である定着温度に温度（発熱）制御されている。
【００９７】
Ａ４用紙をその縦（長辺）方向に連続通紙させるとその時の温度分布は図９に実線で示したようになる。
【００９８】
すなわち、記録紙１０９の接触するＡ４縦幅内は１８０℃の一定温度に制御されるが、Ａ４縦幅の外は記録紙１０９が接触することは無く熱を奪われない。ここで、励磁手段２４０による電力は記録材幅より僅かに広い範囲に投入されているので、その結果、発熱ローラ２１１は、Ａ４縦幅の外側では急激に温度が上昇し、キュリー温度に近づいていく。
【００９９】
しかし、発熱ローラ２１１は、温度がキュリー温度に近づくとその部分の透磁率が急激に低下して磁性を無くし、その結果励磁コイルユニット２４１の発生する磁束は透磁性導電層２１４の表面付近から、その肉厚全体に広がる。図８（ｂ）は、そのハッチングで示した部分が、この状態における、励磁コイルユニット２４１の発生する磁束により誘起される誘導電流の流れる部分であり、肉厚全体に誘導電流が流れることを示している。このように誘導電流の流れる部分の厚さが大きく変化すると、それだけ抵抗値が変化したことになり、一定電流で励磁されている元では、発熱量がその抵抗値に比例して変化するので、本実施例の場合、発熱量は約２分の１以下になり、その結果、温度は約２０５℃に抑えることができる。このことにより、定着装置は、記録材の通過する間隔を長くしたり、連続通過させる枚数を制限することなく連続出力が可能になった。
【０１００】
一方、最大記録材幅（本実施例ではＡ３判紙短辺）での通紙であるＡ４用紙をその横（短辺）方向に連続通過させた場合は図９に破線で示したようにＡ４横送りの両端の一部を除き、ほぼ均一に１８０℃に保たれる。これは、励磁手段２４０による電力が記録材幅より僅かに広い範囲に投入されているゆえ、記録材と接触しない記録材幅外の発熱範囲の温度は１８０℃より少し高くなるが、励磁手段２４０の電力投入範囲に対し、記録材と接触しない範囲の比率が小さいので、その範囲内における発熱量が少なくなっていることによる。そして、記録材幅外においても、Ａ４用紙縦送りの場合よりその温度は低くなっている。
【０１０１】
なお、本実施例１では  Ａ４用紙縦送りとＡ４用紙横送りについてのみ示したが、記録材のサイズはこれに限定されることはなくあらゆるサイズでこの原理（作用）は働き、自動的に記録材幅外の過昇温が抑えられることは言うまでもない。
【０１０２】
また、記録材幅外の温度は記録材の連続通過の速度及び通過間隔、記録材の厚みにも影響される。これは励磁コイルユニット２４１全体に投入される電力がこれらの条件によって大きく左右されるからである。しかし、ほとんどの場合、キュリー温度以下に過昇温を抑制することが出来るので、ゴム材の寿命の低下や、軸受の損傷を発生することもなく、信頼性の高い定着器を実現できる。
【０１０３】
つづいて、幅がＡ４横サイズの記録材を連続通過させた後、発熱ローラ２１１全体の温度が室温に低下する以前に再度印字（定着）指令が出された場合について説明する。
【０１０４】
図１０は印字（定着。定着のことを本明細書においては便宜上印字とも呼ぶ）終了後再度設定温度に立ち上げる場合の発熱ローラ２１１の軸方向温度分布を示す。ここで、細い実線は幅がＡ４横サイズの記録材を連続５００枚印字後６０秒経過時点での発熱ローラ２１１の軸方向温度分布を示す。印字終了後、励磁コイルユニット２４１には通電されておらず、発熱ローラ２１１は伝熱や放熱により全体的に温度が低下しており、中央部で約１３７℃、端部で約１０５℃となっており、連続通紙時には殆ど差のなかった中央部と記録材端部との温度差が大きくなっている。これは、発熱ローラ２１１はその端部付近では軸受を通して熱が伝達して温度が下がるが、透磁性導電層２１４を形成する整磁材料の熱伝導率が小さく、中央部の熱が端部へほとんど移動しないからと考えられる。このように、上記のような軸方向に温度分布が残る現象には、発熱ローラ２１１の透磁性導電層２１４を形成している整磁材料の熱伝導率が小さいことが大きく影響している。そのようなことから、電磁誘導加熱方式の定着装置に一般的に用いられている鉄を発熱ローラ２１１に用いた場合は、整磁材料を用いた場合より、軸方向の温度分布は小さくなるが、幅の狭い記録材で印字したときには記録材が通過しない部分の過昇温がさらに大きくなり、連続して印字を行うことができない。
【０１０５】
そのような温度履歴の残っている状態で、印字（定着）指令を受けて励磁コイルユニット２４１に通電すると、発熱ローラ２１１自体は、その通紙域全体にほぼ均一な磁束が鎖交し、均一に発熱する。そして、このような発熱ローラ２１１に対して従来例のようにその中央部に配置した第１温度検知部材２３１の検出温度を基に発熱の制御（温度制御）した場合、発熱ローラ２１１の軸方向温度分布は、図の太い破線で示すように、中央部は約１８０℃の設定温度になるが、端部は約１６１℃と設定温度より低く、従って定着不良やオフセットや光沢ムラの発生が懸念される。
【０１０６】
一方、本発明の実施例1としての構成であるところの、最大記録材が通過する端部付近に配置された第２温度検知部材２３２の検知温度を基に温度制御した場合には、発熱ローラ２１１の軸方向温度分布は、図１０の太い実線で示すように、端部は約１８０℃、中央部は約１９０℃と全体的に高めになるが、第１温度制御部材２３１の検知温度を基に温度制御した場合より中央部と端部との温度差が小さくなっている。
【０１０７】
これは、励磁コイルユニット２４１の磁束がほぼ均一に発生し、発熱ローラ２１１を均一に発熱させるところ、前述したとおり中央部が温度履歴により高い温度となった温度分布を有しているゆえ、まず中央部が設定温度に到達する。しかし、その時、端部に配置された第２温度検知部材２３２の検知温度は設定温度より低いので、制御手段２４７は励磁用電源２４６にそこから継続して電力を印加させる。その後、第２温度検知部材２３２の検知温度が設定温度に到達すると、制御手段２４７は励磁用電源２４６からの電力を大幅に低下させ、設定温度を保持する。この時、発熱ローラ２１１の中央部は、透磁率が減少しており、誘導電流の発生する部分が発熱ローラ２１１の肉厚に近づいているので、発熱量が低下していることによる。なお、図５および図６に示した整磁材料の比透磁率の温度特性は４５Ａ／ｍ、３０ｋＨｚの交流磁場における測定値であるが、実際の印字準備のための立ち上げ時にはこの磁場より大きな磁場が作用しており、図６の比透磁率の温度特性より低い温度から比透磁率は変化を始めていると考えられる。
【０１０８】
このように、発熱ローラ２１１は、温度履歴による中央部と端部との温度差を保ったまま全体的に温度が上昇するのではなく、所定の温度（Ｔs）に至って透磁率が変化点を始めた部分はそこでの発熱量が低下するので、温度差が徐々に減少しつつ全体的に一定の温度になるような温度上昇をし、第２温度検知部材２３２の検知温度が設定温度である１８０℃になった時点においても中央部の温度は１９０℃に抑えられた。発熱ローラ２１１のこのような温度分布により、定着不良やオフセットや光沢ムラやしわを生ずることなく印字を行うことができた。
【０１０９】
図１０の細い破線は、本発明との比較のため、発熱ローラとして鉄ローラを用いた場合であって第２温度検知部材２３２の検知温度を基に温度制御したときの温度分布を示す。前述した温度履歴により第１温度検知部材２３１の検知温度の方が第２温度検知部材２３２の検知温度より高いが、第２温度検知部材２３２の検知温度を基に温度制御するので、第２温度検知部材２３２の検知温度が設定温度になるまで、励磁コイルユニット２４１に電力が印可され、発熱ローラ２１１が昇温される。このような構成では、第２温度検知部材２３２の検知温度が設定温度に到達した時の発熱ローラ２１１の軸方向の温度分布は図１０に細い破線で示すように、中央部が約２０６℃、端部が約１８０℃と、端部より中央部が約２６℃高くなっており、本発明に係る整磁材料からなる透磁性導電層を有した発熱手段の構成より中央部と端部との温度差が大きく、オフセットや光沢ムラやしわの発生が懸念される。
【０１１０】
以上述べてきたとおり、本実施例１の定着器では、温度履歴による温度分布を有した状態で印字の準備として再度励磁コイルユニット２４１に通電を行う場合、少なくとも二つの温度検知部材の検知温度の内低い温度を検知した温度検知部材の検知温度を基に温度制御を行うことにより、迅速に軸方向温度分布を低減することが可能で、温度分布低減のために待機時間を設けることなく速やかに効率的な印字を行うことが可能となった。
【０１１１】
なお、実施例１に記載したように、温度履歴を有した状態で検知温度の低い温度検知部材の温度を基に温度制御することにより、温度分布を軽減させることは、発熱ローラの透磁性導電層を整磁材料で形成したゆえに可能になったものである。すなわち、本実施例では、整磁材料を発熱ローラの透磁性導電層に用いたことによって、その磁気的特性から温度が高かった部分の透磁率が低下して磁束の浸透深さが深くなり、その結果抵抗が変化して発熱量が減少し、温度分布を軽減することを可能にした。因みに、発熱ローラを鉄で形成した場合にはこのような効果は望めず、温度分布が小さくなるまで待機することとなり、効率的な印字ができない。
【０１１２】
（実施例２）
本発明の実施例２は、発熱ローラ２１１の内部に励磁コイルユニット２４１を配置し、キュリー温度を設定した整磁材料からなる透磁性導電層（後述する非磁性導電層との対比において高透磁性導電層とも呼ぶ）２１４の外周に非磁性（本発明において非磁性とは透磁率が透磁性導電層のそれとは明らかな差をもって低いことをいう）導電層２１５を形成した定着装置であり、このような構成によって、発熱ローラ２１１の非通紙部（非通紙領域）の過昇温をより一層確実に防止し、かつ温度履歴のある状態で立ち上げた場合の温度分布の低減を早期に実現するものである。
【０１１３】
本実施例２に係る画像形成装置の概略構成は、実施例１（図１）と同様であるため、その説明を省略する。本実施例においては、定着装置の構成のみが実施例１と異なっている。
【０１１４】
図１１および図１２は本実施例の定着装置の構成を示す断面模型図である。図１３は発熱ローラ２１１の詳細な構成を示すに一部断面図である。
【０１１５】
図１１〜１３において、発熱ローラ２１１は、少なくとも透磁性導電層２１４と非磁性導電層２１５と保護層２１６と離型層２１７とが積層されて構成されている。高透磁性導電層２１４は、実施例１と同様の整磁材料の中空円筒形状で肉厚が０．６ｍｍに成形されている。非磁性導電層２１５は、例えば固有抵抗が１．６８×１０-8Ωｍの銅などの非磁性材料からなっており、高透磁性導電層２１４の外周面にめっき、メタライジング等により、記録材の最大幅より少し大きい３２０ｍｍの範囲に亘って加工が施された、肉厚が例えば０．０１５ｍｍの層である。なお、非磁性導電層２１５の材料としては、固有抵抗が７×１０-8Ωｍ以下のものが望ましく、銅の他には固有抵抗が２．７×１０-8Ωｍのアルミニウム、６．１×１０-8Ωｍの亜鉛、１．６２×１０-8Ωｍの銀および２．３×１０-8Ωｍ金などでも良い。非磁性導電層２１５の肉厚は、０．０１５ｍｍから０．０６ｍｍに設定することが望ましい。０．０１５ｍｍ以下では記録材非通過（接触）部分の過昇温の防止効果が不十分となり、０．０６ｍｍ以上では、熱容量が増加して立ち上げ時の昇温速度が遅くなる。
【０１１６】
励磁コイルユニット２４１は絶縁性保持部材２４２にコイル２４３が螺旋状に捲回されて発熱ローラ２１１内部に所定間隔を保って保持されている。コイル２４３は細い線材を束ねたリッツ線が好適である。励磁コイルユニット２４１は、励磁用電源２４６から高周波電流が供給されることにより、発熱ローラ２１１を誘導加熱する（発熱させる）ものであり、非磁性導電層２１５より僅かに狭い３１５ｍｍの範囲を加熱可能に構成されている。励磁コイルユニット２４１には絶縁性保持部材２４２の他に磁気回路の結合を高めるフェライト等よりなる図示しないコア部材を用いてもよい。また励磁コイルユニット２４１のように磁束が発熱ローラ２１１の全周に亘るものや、発熱ローラ２１１の内面に対向する状態でリッツ線を発熱ローラ２１１の一端から他端に向かって捲回される構成のもの、あるいは、発熱ローラ２１１の内面の約１８０度の範囲に亘って対向するように捲回される構成のものでもよい。
【０１１７】
絶縁性保持部材２４２はコイル２４３を保持すると共に、絶縁性を確保するものであり、本実施例の場合は、中空の軸となっており、連続動作時に中空内部に空気の流れを生じさせて、コイル２４３の発熱を低減することが可能な構成となっている。絶縁性保持部材２４２の形状は、中空の軸に限らず、中実の軸あるいは円弧状等コイル２４３の形状に合わせた形状でもよい。
【０１１８】
次いで、上述したように構成された定着装置の発熱の原理（作用）について説明する。
【０１１９】
本実施例２においても発熱ローラ２１１の温度がキュリー温度以下である場合は、励磁手段２４０に交流電流が流れることにより、励磁コイルユニット２４１の周囲に磁束が発生する。発生した磁束は、高透磁性導電層２１４と鎖交し、表皮効果により高透磁性導電層２１４の内面に誘導電流を誘導し、ジュール熱によって高透磁性導電層２１３の内面を発熱させる。
【０１２０】
一方、発熱ローラ２１１の温度が上昇し、キュリー温度に近づくと、高透磁性導電層２１４の比透磁率が激減し磁力線がこの層を貫通する。高透磁性導電層２１４を貫通した磁力線は、非磁性導電層２１５に浸透し、誘導電流を誘導し、この誘導電流が磁束を打ち消す方向に作用して反発磁界を発生させ、その結果、励磁コイルユニット２４１による磁束を大幅に減衰させ、磁束密度が低下する。さらに非磁性導電層２１５の固有抵抗は１．６８×１０-8Ω・ｍと高透磁性導電層２１４の固有抵抗８１．５×１０-8Ω・ｍより格段に小さいことも相まって、透磁率の変化点をこえた部分の発熱量が低下する。よって最大記録材幅より小さなサイズの記録材を通過させても、非通過部分が異常に高温になることはない。また、非磁性導電層２１５は最大記録材幅より僅かに広く形成され、誘導コイルユニット２４１による磁束発生幅は、最大記録材幅より広く、非磁性導電層２１５より僅かに狭く形成されており、非磁性導電層２１５の熱伝導率は大きいことから、発熱ローラ２１１は、最大記録材幅内の温度ムラが低減される一方、高透磁性導電層２１４である整磁材料の低熱伝導性により、端部への熱流出は僅かとなり、最大記録材幅より僅かに広い範囲を効率的に加熱できるので、定着装置における印加電力の更なる低減が可能な構成となっている。
【０１２１】
次に、図１４はＡ４横送り連続印字時の発熱ローラ２１１の軸方向温度分布であって、実線は非磁性導電層２１４の厚みを０．０３ｍｍとし、その長さを３２０ｍｍとした場合、破線は非磁性導電層２１４をその厚みを０．０３ｍｍとして、高透磁性導電層２１４からなる発熱ローラ２１１の全長に亘って形成した場合の温度分布を示す。
【０１２２】
図１４から判るように、非磁性導電層２１４を発熱ローラ２１０の全長に亘って形成した場合、両端部の温度が低下しており、通過する最大記録材の幅より僅かに大きい３２０ｍｍの範囲に非磁性導電層２１４を形成した場合は、記録材のほぼ全幅に亘って均一な温度分布を示している。
【０１２３】
すなわち、発熱ローラ２１１は、キュリー温度が２１０℃に調整された整磁金属で構成されており、その熱伝導率は１３Ｗ／ｍ・Ｋと小さく、非磁性導電層２１５として形成した銅の熱伝導率は３９８Ｗ／ｍ・Ｋと大きい。全長に亘って非磁性導電層２１５を形成した場合は、励磁コイルユニット２４１による発熱部分以外の、発熱ローラ２１１両端部へ向かって非磁性導電層２１５を通って熱が移動し、軸受２１３等を通じて熱が流出し、記録材幅内の両端部において温度ムラが発生している。非磁性導電層２１５を３２０ｍｍの範囲に形成した場合は、非磁性導電層２１５の範囲外は、熱伝導率の小さい整磁材料を通じて熱が移動するのみであり、端部からの熱流出は極端に小さくなり、温度ムラは発生しなかった。
【０１２４】
非磁性導電層２１５の幅を最大記録材の幅と等しく形成すると、記録材相当幅の端部において、記録材の通過位置の変動や、励磁コイルユニット２４１による磁界発生幅変動があった場合、非磁性導電層２１５により低減することができず、温度ムラが発生する場合があり、従って、非磁性導電層２１５の幅は、最大記録材より僅かに大きいことが望ましい。
【０１２５】
発熱ローラ２１１の全幅に非磁性導電層２１５を形成した場合、温度ムラがないように励磁コイルユニット２４１の発生磁束分布を調整することは可能であるが、その場合は非磁性導電層２１５を最大記録材幅より僅かに大きく形成した場合に比べて、端部付近の温度低下を補正するために印加電力が増加する。
【０１２６】
また、励磁コイルユニット２４１による発生磁界のバラツキによる温度ムラについても、熱伝導率の大きな非磁性導電層２１４を形成することにより低減可能である。
【０１２７】
なお、非磁性導電層２１４について、銅を使用した場合についてこれまで説明したが、銅に限定されるものではなく、熱伝導率が２３７Ｗ／ｍ・Ｋのアルミニウム、１１４．３Ｗ／ｍ・Ｋの亜鉛、８７．９Ｗ／ｍ・Ｋのニッケル、２９４Ｗ／ｍ・Ｋの金、４１８Ｗ／ｍ・Ｋの銀等でも同様の効果は得られる。このとき、それぞれの金属において、固有抵抗、熱伝導率が異なり、前述の効果が得られる厚みは異なる。本発明者らの実験では、銅の場合は０．０１５ｍｍから０．０６０ｍｍ、アルミニウムの場合は０．０２５ｍｍから０．０６０ｍｍ、亜鉛の場合は０．０５５ｍｍから０．０６０ｍの場合に、同様な効果が得られることが判った。
【０１２８】
以上のように、キュリー温度を所定の温度に設定された整磁材料からなる高透磁性導電層２１４からなる発熱ローラ２１１に最大記録材より僅かに広い範囲に非磁性導電層２１５の薄膜を形成することにより、そのような発熱ローラ２１１を用いた定着装置は、迅速な立ち上がりが可能で、記録材幅外の過昇温を防止しつつ、温度ムラの防止ならびに端部への熱流出を防止し、印加電力が低減できるものになる。
【０１２９】
また、励磁手段２４０が発熱ローラ２１１の内部に配置されており、発熱ローラ２１１表面に付着残留したトナーを除去するクリーニング手段や記録材の分離手段の配置が容易であり、小型化が可能な定着装置が実現できる。
【０１３０】
つづいて、Ａ４縦送りで連続印字した後、発熱ローラ２１１の温度が室温に低下する以前に次の印字指令が出された場合について説明する。
【０１３１】
図１５はＡ４縦方向送りでの連続５００枚印字後、中央部の温度を設定温度に保つ温度制御を行った場合において、先の連続印字終了から所定時間経過した時の発熱ローラ２１１の軸方向温度分布を示す。
【０１３２】
図１５に示すように印字終了直後は記録材幅外の温度は高い（細い実線）が時間の経過とともに中央部と記録材非通過部分の温度差がなくなり、図１５にて表示しないが約９０秒後にはほぼ均一となり、それ以降は端部の温度が低くなる。これは発熱ローラ２１１からの熱はほぼ均一に放出されるが、非磁性導電層２１５により熱伝導は改善されているものの、非磁性導電層２１５は最大記録材より僅かに広い３２０ｍｍの範囲にのみ形成されており、よって端部から軸受部にかけては熱伝導率の低い整磁材料なので熱伝導率が低く、従って主に軸受部付近の熱が軸受部を通じて図示しない支持体等へ伝熱により失われるからと考えられる。
【０１３３】
また図１６はＡ４縦方向送りでの連続５００枚印字直後に励磁コイルユニットへの通電を断ったその６０秒後の軸方向温度分布を示す。全体的に温度が低下しているが、端部付近が中央部より約１４℃高い温度分布が残っている。
【０１３４】
このような発熱ローラ２１１の温度変化について、種々の温度履歴の条件と、第１、２温度検知部材２３１、２３２で検知された温度の情報（温度情報と呼ぶ）と、主要な記録材の情報（記録材の端部に相当する位置［発熱ローラ２１１を基準としたその軸方向についての位置］の情報）とはこれらを関連付けることが可能なので、印字準備時に、第１、２温度検知部材２３１、２３２の何れかの検知温度を基に温度制御した場合の各種記録材の端部に相当する位置の温度が推定できるよう、それらをデータテーブル化して制御手段２４７にそのマイクロコンピュータが読み出し可能な状態で記憶している。具体的には、中央部−最大記録材端部（発熱ローラ端部。以下、最大記録材端部又は発熱ローラ端部のことを単に「端部」とも呼ぶ、言い換えれば、特に断りなく単に「端部」と呼んだときには最大記録材端部又は発熱ローラ端部を言っている）間の現時点の温度差、主な記録材サイズのその端部に相当する位置の現時点の温度、第１、第２温度検知部材２３１、２３２の検知温度を基に温度制御したときの中央部、最大記録材端部及び主な記録材の端部に相当する位置の各温度等をデータテーブルとして制御手段２４７に登録している。したがって、第１、２温度検知部材２３１、２３２の温度情報と印字する記録材の情報（記録材サイズ）とが判れば、そのデータテーブルを参照することで、第１、２どちらの温度検知部材の検知温度を基に温度制御した方が温度分布がより小さくなるかが判定可能なので、定着装置は、温度分布のより小さくなる温度検知部材の検知温度を基に温度制御することが可能となっている。これらのデータテーブルは主要な記録材で印字した場合についての全ての情報が記憶されている。図１７はそのような温度制御条件を表したデータテーブルの例である。なお、図中の「制御温度」とは第１温度検知部材又は第２温度検知部材の検知温度がそれを基に温度制御して目標温度（定着温度）に至った時の各箇所における温度をいう。
【０１３５】
ここで印字動作終了後、発熱ローラ２１１の温度が室温に戻る前に次の印字指令が出される場合の代表的なケースについて順に説明する。
【０１３６】
まず、Ａ４縦送り５００枚印字終了後設定温度を維持した状態で、その３分後にＡ４横送り印字の指令が出された場合について説明する。
【０１３７】
まず、第１、２温度検知部材２３１、２３２の温度が比較され、発熱ローラ２１１の中央部の温度（第１温度検知部材２３１の検知温度）を設定温度に維持する温度制御によって、その制御を開始して３分後、図１５に太い破線で示すように、第１温度検知部材２３１の検知温度は約１８０℃となるが、第２温度検知部材２３２（中央部から１４５ｍｍの位置）の検知温度は約１５６℃となっており、つまり第２温度検知部材の方が約２４℃低い検知温度となっており、この温度状態のままで記録材がニップを通過すると定着不良を起こす懸念がある。そこで、第１温度検知部材２３１の検知温度を基に温度制御していた状態から変えて、次に発熱ローラ２１１の端部の温度（第２温度検知部材２３２の検知温度）を基に温度制御することにより、励磁コイルユニット２４１には第１温度検知部材２３１の検知温度を基に温度制御していたときより大きな電力が印可され（検知温度が第２温度検知部材の方が低いので）、第２温度検知部材２３２の検知温度が設定温度になるまで昇温される。
【０１３８】
図１８は、そのように昇温されて第２温度検知部材２３２の検知温度が設定温度に到達した時の発熱ローラ２１１の軸方向の温度分布を示す。
【０１３９】
図１８に実線で示すように、発熱ローラ２１１は中央部が約１９０℃、端部が約１８０℃と、端部より中央部が約１０℃高くなっているが、定着装置はオフセットや光沢ムラやしわを生ずることなく正常に印字を行うことができた。
【０１４０】
このように、中央部と端部との温度差が、第１温度検知部材２３１の検知温度を基にした温度制御では約２４℃あったものが、第２温度検知部材２３２の検知温度を基にした温度制御としたことで約１０℃になり、大幅に低減できた。これは、励磁コイルユニット２４１の磁束はほぼ均一に発生し、発熱ローラ２１１を均一に発熱させるが、中央部が高い温度履歴を有しているため、第２温度検知部材２３２の検知温度が設定温度に到達前に、中央部の温度は整磁材料の透磁率の変化点を過ぎて透磁率が減少し、磁束が高透磁性導電層を貫通して非磁性導電層に浸透し、非磁性導電層２１５においても誘導電流が流れ、この誘導電流により励磁コイルユニット２４１の磁束を打ち消す方向に反発磁界が発生し、磁束を大幅に減衰させる。非磁性導電層２１５の固有抵抗は１．６８×１０-8Ω・ｍと高透磁性導電層２１４の固有抵抗８１．５×１０-8Ω・ｍより格段に小さいことと相まって、透磁率の変化点をこえた部分の発熱が大幅に低減される。したがって中央部と端部の温度差を保ったまま全体的に温度が上昇するのではなく、透磁率の変化点を超えた部分の発熱量が低下し温度差が減少しつつ全体的に温度が上昇したからである。
【０１４１】
このとき、第２温度検知部材２３２の検知温度に基づき温度制御する設定温度を温度制御における本来の目標温度（定着温度である１８０℃。便宜上、本来の設定温度とも呼ぶ）より僅かに低い第２の設定温度として、温度制御した場合は、図１８に破線で示す軸方向の温度分布となる。具体的には第２の設定温度を１７６℃とした。この場合には、端部付近の温度が１７６℃になったとき、中央部の温度は約１８８℃となり、端部を本来の設定温度１８０℃で制御した場合より、一層本来の設定温度に近い温度分布が得られ、中央部と端部の温度差が低減できた。
【０１４２】
つぎに、Ａ４縦送り５００枚印字終了後中央部の温度を維持した状態で、その１分後にＡ４縦送り印字の指令が出た場合について説明する。
【０１４３】
まず、第１、２温度検知部材２３１、２３２の検知温度が比較され、発熱ローラ２１１の中央部の温度（第１温度検知部材２３１の検知温度）を設定温度に維持する温度制御によって、その制御を開始して１分後、図１５に太い実線で示すように、第１温度検知部材２３１は１８０℃となるが、第２温度検知部材２３２（中央部から１４５ｍｍの位置）は１７５℃と第２温度検知部材２３２の検知温度の方が５℃低い検知温度となった。図１５に示すように、この時のＡ４縦送りの記録材端部相当位置の温度は約１８３℃であり、第１温度検知部材２３１の検知温度に基づいて制御手段２４７にて温度維持した状態のままで印字可能と判定され、記録材の通紙を開始することにより、問題なく定着動作が行われ、記録材非通過部分の温度も２０５℃を越えることなく印字を行うことができた。
【０１４４】
つぎに、Ａ４縦送り５００枚印字終了直後にＡ４横送りの印字指令が出された場合について説明する。
【０１４５】
まず、第１、２温度検知部材２３１、２３２の検知温度が比較される。図１９において、破線はＡ４縦送り５００枚印字直後の温度分布を示す。Ａ４縦送り５００枚印字終了直後は、図１９に示すように、第１温度検知部材２３１は１８０℃、第２温度検知部材２３２（中央部から１４５ｍｍの位置）は２０４℃であり、第２温度検知部材２３２の検知温度の方が約２４℃高くなっており、この温度状態のままで記録材を通紙させるとオフセット光沢ムラやしわの発生が懸念される。
【０１４６】
この場合には設定温度を少し高い第３の設定温度にして再立ち上げすることにより温度分布が軽減できる。図１９において、太い実線は第１温度検知部材２３１の検知温度を基に、本来の設定温度より１５℃高い第３の設定温度１９５℃で温度制御した場合の軸方向温度分布を示す。第１、２の温度検知部材２３１、２３２の検知温度は、第１温度検知部材が１９５℃、第２温度検知部材（中央部から１４５ｍｍの位置）が２０４℃、端部付近の最も温度の高い部分で２０７℃となった。印字指令が出される前に温度の高かった端部は、印字準備開始直後から透磁率が低下し発熱量が激減しており、それゆえ発熱ローラの発熱動作によってもほとんど昇温せず、端部と中央部の温度差は最大で１２℃に軽減できた。
【０１４７】
図１９の細い実線はその状態から設定温度を本来の設定温度１８０℃に戻して温度制御した場合の温度分布を示す。熱容量の小さな発熱ローラ２１１は速やかに温度が低下した。そして、中央部が設定温度１８０℃になった時の端部の最高温度は１９２℃であり、この時点で記録材の通紙（定着）を開始しても、オフセットや光沢ムラやしわを生ずることなく印字を行うことができた。
【０１４８】
このように、中央部の温度より端部の温度の方が高い場合、第１温度検知部材２３１の設定温度を本来の設定温度より高い第３の設定温度にすることにより、温度分布が低減するまで待機する場合より短時間で印字準備を終了し印字を開始することができた。
【０１４９】
図２０は、発熱ローラとして鉄ローラ用いてＡ４縦送り５０枚印字直後にＡ４横送り印字の指令が出された場合の温度分布を示す。
【０１５０】
図２０において、破線はＡ４縦送り５０枚印字終了時点の温度分布を示す。この時、記録材が通過しない部分の温度は約２２０℃となっており、加圧ローラの耐熱温度の限界に近く、これ以上印字を続けることは困難である。
【０１５１】
図２０の実線はＡ４縦送り５０枚印字が終了した直後に印字指令が出され、第１温度検知部材２３１の検知温度の方が第２温度検知部材２３２の検知温度より高く、かつその温度差も大きいため、第２温度検知部材２３２の検知温度を基に第３の設定温度１９５℃で温度制御し、第１温度検知部材２３２の検知温度が第３設定温度の１９５℃に到達した時の発熱ローラ２１１の軸方向の温度分布を示す。この時、中央部が約１９５℃、端部が約２３５℃と、印字終了時点より端部の温度が高くなっており、この状態で印字を開始することは困難であり、温度分布が低減されるまで、印字を受け付けることができず、待機時間が長くなる。
【０１５２】
つづいて、Ａ４横サイズ（最大記録材幅）の記録材を連続通過させた後、発熱ローラ２１１の温度が室温に低下する以前にＡ５縦送りの印字指令がきた場合について説明する。
【０１５３】
図２１において、破線はＡ４横サイズでの連続５００枚印字終了後、６０秒経過時点の発熱ローラ２１１の軸方向温度分布を示す。印字終了後、励磁コイルユニット２４１には通電されておらず、発熱ローラ２１１は伝熱や放熱により全体的に温度が低下しており、中央部で１３５℃、記録材（Ａ４横サイズの記録材）端部（つまり最大記録材端部）で９４℃となっており、連続通紙時には殆ど差のなかった中央部と記録材端部の温度差が大きくなっている。
【０１５４】
そのような温度履歴の残っている状態で印字指令がきたとき、まず第１、第２温度検知部材の検出温度が制御手段２４７で比較される。この時、第１、２温度検知部材の温度差は４１℃あり、Ａ５縦送りの記録材端部相当位置との温度差は図から分かるように３℃である。これらの温度差ついて、制御手段２４７は、前述したデータテーブルから、端部温度は低いが、記録材端部相当位置の温度は第１温度検知部材２３１の検知温度を基に制御可能な（そのような制御が適当である）許容範囲内と判定し、第１温度検知部材２３１の検知温度を基に制御することとなる。そして、励磁コイルユニット２４１に通電されると、発熱ローラ２１１はその通紙域全体にほぼ均一な磁束が鎖交し、均一に発熱する。このとき制御手段２４７は、発熱ローラ２１１の中央部に配置された第１温度検知部材２３１の検出温度を基に温度制御しており、その中央部がやがて定着温度になる。その時、発熱ローラ２１１の端部は定着温度より低い１５３℃であったが、Ａ５縦の端部相当位置は１７６．５℃となっており、この発熱ローラ２１１で正常に印字できた。
【０１５５】
前述した温度履歴に対して第１温度検知部材２３１の検出温度を基にした温度制御をとったことより、第２温度検知部材２３２の検知温度を基に制御する場合より、その温度履歴があった分、中央部は早く定着温度に達し、速やかな印字動作が可能となった。また、印字開始時点の端部温度が低い分、非通紙部分が飽和温度に到達するまでの時間が遅くなった。さらに、この時、発熱ローラ２１１の最大記録材端部に相当する部分の温度は１５３℃と低く、従って、端部に配置した第２温度検知部材２３２の検知温度を用いて温度制御する場合に比較して、端部の温度を設定温度にまで昇温していないので、印字準備中（印字指令時から印字動作が可能になるまでの期間）の印加電力が低減できた。
【０１５６】
つづいて、同様にＡ４横サイズの記録材を連続通過させた後、発熱ローラ２１１の温度が室温に低下する以前にＢ４縦送りの印字指令がきた場合について説明する。
【０１５７】
図２１において破線で示したとおり、Ａ４横サイズでの連続５００枚印字終了後、発熱ローラ２１１は中央部で１３５℃、端部で９４℃となっている。また、Ｂ４縦送りの端部に相当する位置の温度は、１１１℃となっており、中央部との温度差が２４℃とやや大きい。この場合も、前述したデータテーブルを参照することにより、印字指令が出された記録材のサイズと第１、２温度検知部材２３１、２３２の検知温度とそれらの温度差とによりその温度差のまま印字可能か否かが判定可能である。
【０１５８】
具体的には、第１温度検知部材と、第２温度検知部材との温度差が４１℃あり、一方、Ｂ４縦送りの記録材端部相当位置と中央部との温度差が２４℃であり、データテーブルから、この温度差は、中央部温度は高いが、第２温度検知部材２３２の検知温度を基に制御可能（適当）な許容範囲内と判定されるので、第２温度検知部材２３２の検知温度を基に制御することとなる。そして、励磁コイルユニット２４１に通電されると、発熱ローラ２１１はその通紙域全体にほぼ均一な磁束が鎖交し、均一に発熱する。このとき制御手段２４７は、発熱ローラ２１１の端部に配置された第２温度検知部材２３２の検出温度を基に温度制御しており、図２１に細い実線で示すように、その端部がやがて設定温度になる。その時、中央部は定着温度より高い１９０℃であったが、この発熱ローラ２１１でオフセットや光沢ムラやしわを生ずることなく印字することができた。
【０１５９】
つぎに、印字終了後低電力モードに入りその後Ａ４横送りの印字指令が出された場合について説明する。
【０１６０】
図２２において、太い破線は、Ａ４横サイズを連続５００枚印字後低電力モードに入って１０分経過時点の発熱ローラ２１１の軸方向温度分布を示す。印字終了後、低電力モードとして第１温度検知部材２３１の検知温度を基に定着温度より低い１５０℃に温度制御されているが、発熱ローラ２１１は、伝熱や放熱により端部の温度が低下しており、中央部で１５０℃、端部で１００℃となっている。つまり、連続通紙時には殆ど差のなかった中央部と記録材（Ａ４横サイズの記録材）端部（つまり最大記録材端部）との温度差が大きくなっている。
【０１６１】
そのような温度履歴の残っている状態で印字指令が出されると、まず第１、第２温度検知部材２３１、２３２の検知温度が制御手段２４７で比較される。この時、第１温度検知部材２３１の検知温度が１５０℃、第２温度検知部材２３２の検知温度が１０５℃である。よって、それらの検知部材での温度の差が４５℃なので、制御手段２４７により、前述したデータテーブルが参照されて、第２温度検知部材２３２の検知温度を基に温度制御するものとし、さらにこのとき、その温度制御での立ち上げ時の設定温度を本来の設定温度より高い第３の設定温度（１９５℃）とすると判定され、そのような温度制御がされることになる。
【０１６２】
そして、印字準備が開始され、励磁コイルユニット２４１に通電される（立ち上げられる）と、発熱ローラ２１１は、その通紙域全体にほぼ均一な磁束が鎖交し、均一に発熱する。このとき制御手段２４７は、発熱ローラ２１１の端部に配置された第２温度検知部材２３２の検出温度を基に温度制御しており、その第２温度検知部材２３２の検知温度がやがて本来の設定温度１８０℃になった時の温度分布は、図２２に細い実線で示すとおり、中央部が本来の設定温度より高い２０２℃となっており、端部と中央部との温度差が２２℃とやや大きくなっている。これは、端部が設定温度に到達する以前に中央部は透磁率の変化点に到達して透磁率が低下し、発熱量が減少するが、再度立ち上げる前の中央部と端部との温度差が大きく、その温度分布をこの間までには除ききれないことによるものである。このような発熱ローラ２１１では、オフセットや光沢ムラやしわを生ずる懸念がある。
【０１６３】
しかし、本実施例では前述したとおり設定温度を本来の設定温度より１５℃高い第３の設定温度１９５℃に設定しているので、励磁コイルユニット２４１への通電がさらに継続され、この結果、図２２において太い実線で示すように、端部の温度が第３の設定温度１９５℃に到達した時には、中央部の温度は２０５℃であり、よって温度差は１０℃となり、温度分布は大幅に軽減されている。
【０１６４】
その後、設定温度を本来の設定温度１８０℃に戻すことにより、やがて、図２２に細い破線で示すように、端部が１８０℃、中央部が１９０℃となった。これは、第２温度検知部材２３２の設定温度を高くしたことにより、励磁コイルユニット２４１への通電が引続き行われ、中央部は、その温度をさらに上昇させようとはするが、キュリー温度により近づき透磁率がより一層減少し、非磁性導電層に流れる誘導電流による反発磁界が一層増加して発熱量が激減し、その結果、端部との温度差が減少したからと推察される。そして、この発熱ローラ２１１を用いては、オフセットや光沢ムラやしわを生ずることなく印字することができた。
【０１６５】
なお、第２温度検知部材２３２の検知温度が設定温度に到達後、さらに第１温度検知部材２３１にて本来の設定温度で制御した場合は、中央部が１８０℃、端部が１７０℃となり、この発熱ローラ２１１を用いても正常に印字ができた。
【０１６６】
また、発熱ローラ２１１の温度が低下しやすい印字開始時は本来の設定温度（定着温度）より高い第３設定温度で温度制御して印字を開始し、そして、発熱ローラ２１１の温度が低下して本来の設定温度になった時点で、又は、所定枚数印字後に、若しくは、所定時間経過後に、温度制御における目標温度を本来の設定温度に変更してもよい。
【０１６７】
また、記録材の肉厚が厚い場合は、温度制御における目標温度を本来の設定温度（定着温度）より高めにして温度制御し、その設定した温度に到達した時点で印字を開始し、そして、その高めの設定温度で温度制御を引続き行って印字を続けてもよい。
【０１６８】
また、記録材が最大記録材の場合には、第２温度検知部材２３２の検知温度を基に温度制御して印字してもよい。
【０１６９】
また、第３の設定温度について、本実施例２では設定温度より１５℃高い１９５℃、つまり発熱ローラ２１１を形成する整磁材料のキュリー温度との差は１５℃となっている。この第３の設定温度とキュリー温度との関係について、第３の設定温度があまりキュー温度に近すぎると、温度分布で温度の低かった部分が設定温度に到達する以前に透磁率変化の影響で発熱が減少して昇温が遅くなる。また発熱ローラ全体の透磁率が変化することとなり、励磁コイルユニット２４１との結合インピーダンスの変化が大きく、励磁用電源２４６の負荷変化が大きく電源の動作が不安定になるといった現象があらわれる。本発明者の研究では整磁材料のキュリー温度をＴｃ、第３の設定温度をＴｈとしたとき、Ｔｃ−Ｔｈ≧１５℃の関係が成立する場合、前述した昇温が遅くなる現象や励磁用電源の動作が不安定になる現象がなく、温度分布の低減が可能であった。
【０１７０】
また、実施例２に記載したように、温度履歴を有した状態で少なくとも２つの温度検知部材の検知温度と記録材の情報とにより温度制御に用いる温度検知部材、及び設定温度を選択して温度制御することにより、温度分布を軽減させることは、発熱ローラの高透磁性導電層を整磁材料で形成したゆえに可能になったものである。すなわち、本実施例では、整磁材料を発熱ローラの透磁性導電層に用いたことによって、その磁気的特性から温度が高かった部分の透磁率が低下して磁束の浸透深さが深くなり、その結果非磁性導電層に磁束が浸透し、発生した反磁界により励磁コイルユニットの磁束が減少して発熱量が大幅に減少し、温度分布を軽減することを可能にした。因みに、発熱ローラを鉄で形成した場合には、このような効果は望めず、温度分布が小さくなるまで待機することが必要で効率的な印字ができない。
【０１７１】
また、本実施例２では、二つの温度検知部材の例について記載したが、二つに拘ることなく三つ以上の温度検知部材を配置してより正確な温度分布の把握および低減を図ることも可能である。
【０１７２】
また、発熱手段についても回転する円筒形のローラについての例示をしたが、この構成に拘ることなく、熱を移動させるベルトを用いた構成や同じくベルトを用いて励磁手段により励磁、発熱させられる発熱手段を固定した構成でも、本発明と同様の効果を得られることは明白である。
【産業上の利用可能性】
【０１７３】
以上のように、本発明にかかる定着装置は、ウォームアップ時の迅速な立ち上がりと、連続通紙時の用紙幅外の過昇温の抑制が実現でき、温度履歴による温度分布が残った状態から迅速に温度分布を軽減して、速やかな印字を実行することが可能であり、電磁誘導加熱方式によって未定着画像を記録材に加熱定着する定着装置などに有用である。
【図面の簡単な説明】
【０１７４】
【図１】本発明の実施例における画像形成装置の概略構成を示す図
【図２】本発明実施例１における定着装置の構成を示す横断面模型図
【図３】本発明実施例１における定着装置の構成を示す縦断面模型図
【図４】本発明実施例１における発熱ローラの詳細な構成を示す一部断面図
【図５】本発明実施例１における整磁材料のアニール処理前の比透磁率の温度特性図
【図６】本発明実施例１における整磁材料のアニール処理後の比透磁率の温度特性図
【図７】本発明実施例１における励磁手段と温度検知手段との関係を示す模型図
【図８】本発明実施例１における発熱ローラ内を流れる誘導電流の説明図
【図９】本発明実施例１における連続通紙時の発熱ローラの温度分布図
【図１０】本発明実施例１における印字終了後再度立ち上げる場合の発熱ローラの温度分布図
【図１１】本発明実施例２における定着装置の構成を示す縦断面模型図
【図１２】本発明実施例２における定着装置の構成を示す横断面模型図
【図１３】本発明実施例２における発熱ローラの詳細な構成を示す一部断面図
【図１４】本発明実施例２における非磁性導電層の幅を変えた場合の連続通紙時の発熱ローラの温度分布図
【図１５】本発明実施例２における発熱ローラの印字終了後の経過時間毎の温度分布図
【図１６】本発明実施例２における発熱ローラの印字終了後の温度分布図
【図１７】温度制御条件を表したデータテーブルの例を示す図
【図１８】本発明実施例２における発熱ローラを印字終了後再度立ち上げた時の温度分布図
【図１９】本発明実施例２における発熱ローラの印字終了時と再度立ち上げた時の温度分布図
【図２０】本発明実施例２における発熱ローラを鉄ローラにした場合の印字終了時と再度立ち上げた時の温度分布図
【図２１】本発明実施例２における発熱ローラの印字終了後と再度立ち上げた時の温度分布図
【図２２】本発明実施例２における発熱ローラの印字終了後と再度立ち上げた時の温度分布図
【図２３】従来の加熱定着装置を示す要部の横断面模型図
【図２４】従来の定着器の加熱ローラの構造を示す図
【図２５】従来の画像定着部の構成を示した断面図
【符号の説明】
【０１７５】
２００    定着装置 
２１０    発熱手段
２１１    発熱ローラ
２１４    透磁性導電層
２１５    非磁性導電層
２２０    加圧手段
２２１    加圧ローラ
２３０    温度検知手段
２３１    第１温度検知部材
２３２    第２温度検知部材
２４０    励磁手段
２４１    励磁コイルユニット
２４６    励磁用電源
２４７    制御手段
【図１】
2011033642.tif 000003
【図２】
2011033642.tif 000004
【図３】
2011033642.tif 000005
【図４】
2011033642.tif 000006
【図５】
2011033642.tif 000007
【図６】
2011033642.tif 000008
【図７】
2011033642.tif 000009
【図８】
2011033642.tif 000010
【図９】
2011033642.tif 000011
【図１０】
2011033642.tif 000012
【図１１】
2011033642.tif 000013
【図１２】
2011033642.tif 000014
【図１３】
2011033642.tif 000015
【図１４】
2011033642.tif 000016
【図１５】
2011033642.tif 000017
【図１６】
2011033642.tif 000018
【図１７】
2011033642.tif 000019
【図１８】
2011033642.tif 000020
【図１９】
2011033642.tif 000021
【図２０】
2011033642.tif 000022
【図２１】
2011033642.tif 000023
【図２２】
2011033642.tif 000024
【図２３】
2011033642.tif 000025
【図２４】
2011033642.tif 000026
【図２５】
2011033642.tif 000027